(57)【要約】 【課題】  底付きパイプの内面を洗浄するに際し、洗浄液を使用しないで洗浄効率を上げること。【解決手段】  底付きパイプ１の内面をエアブロー装置２０により洗浄する底付きパイプ洗浄装置１００であって、エアブロー装置２０は洗浄ノズル２２をパイプ１内に挿入可能にし、洗浄ノズル２２がエア噴出口２３を外周面に備え、エア吸入口２４を先端面に備え、パイプ１内の異物を洗浄ノズル２２の外周面のエア噴出口２３から吹出すエアブローにより吹飛ばしながら、該洗浄ノズル２２の先端面のエア吸入口２４から捕集するもの。【選択図】  図１
2006167637.tif 000002
【特許請求の範囲】
【請求項１】
底付きパイプの内面をエアブロー装置により洗浄する底付きパイプ洗浄装置であって、
エアブロー装置は洗浄ノズルをパイプ内に挿入可能にし、洗浄ノズルがエア噴出口を外周面に備え、エア吸入口を先端面に備え、
パイプ内の異物を洗浄ノズルの外周面のエア噴出口から吹出すエアブローにより吹飛ばしながら、該洗浄ノズルの先端面のエア吸入口から捕集する底付きパイプ洗浄装置。
【請求項２】
前記エアブロー装置の前段にブラシ装置を設け、ブラシ装置は回転ブラシをパイプ内に挿入可能にし、パイプ内の異物を回転ブラシにより剥離する請求項１に記載の底付きパイプ洗浄装置。
【請求項３】
前記底付きパイプの底部を下位に配置する正立のまま、該パイプを洗浄する請求項１又は２に記載の底付きパイプ洗浄装置。
【請求項４】
底付きパイプの内面を洗浄する底付きパイプ洗浄方法であって、
洗浄ノズルをパイプ内に挿入し、パイプ内の異物を洗浄ノズルの外周面のエア噴出口から吹出すエアブローにより吹飛ばしながら、該洗浄ノズルの先端面のエア吸入口から捕集する底付きパイプ洗浄方法。
【請求項５】
前記洗浄ノズルとパイプの内周との隙間を小さくして該パイプの内面を洗浄する請求項４に記載の底付きパイプ洗浄方法。
【発明の詳細な説明】
【技術分野】
【０００１】
本発明は油圧緩衝器用ボトムチューブ等の底付きパイプ洗浄装置及び方法に関する。
【背景技術】
【０００２】
従来の底付きパイプ洗浄装置は、特許文献１に記載の如く、パイプ内に付着しているバリや切粉等の鉄系等の異物を洗浄するため、高圧洗浄液を用いている。洗浄液の排除を行なうために、倒立にしたパイプの下向き開口から洗浄ノズルを挿入し、洗浄後には組立を行なうためにパイプを正立に反転させる。
【特許文献１】実登録2607660
【発明の開示】
【発明が解決しようとする課題】
【０００３】
特許文献１の高圧洗浄液を用いる底付きパイプ洗浄装置には以下の問題点がある。
(1)洗浄液を用いるため、洗浄液タンク等を必要とし、洗浄装置が大型になり、洗浄液の交換も必要になる。
【０００４】
(2)洗浄後のパイプ内に洗浄液が残ると錆びの原因になり、この洗浄液を残さない長時間の乾燥工程を必要とし、時間がかかる。
【０００５】
(3)洗浄液の高圧噴射に伴なう騒音が大きく、周辺への液飛散防止策も必要になる。
【０００６】
本発明の課題は、底付きパイプの内面を洗浄するに際し、洗浄液を使用しないで洗浄効率を上げることにある。
【課題を解決するための手段】
【０００７】
請求項１の発明は、底付きパイプの内面をエアブロー装置により洗浄する底付きパイプ洗浄装置であって、エアブロー装置は洗浄ノズルをパイプ内に挿入可能にし、洗浄ノズルがエア噴出口を外周面に備え、エア吸入口を先端面に備え、パイプ内の異物を洗浄ノズルの外周面のエア噴出口から吹出すエアブローにより吹飛ばしながら、該洗浄ノズルの先端面のエア吸入口から捕集するようにしたものである。
【０００８】
請求項２の発明は、請求項１の発明において更に、前記エアブロー装置の前段にブラシ装置を設け、ブラシ装置は回転ブラシをパイプ内に挿入可能にし、パイプ内の異物を回転ブラシにより剥離するようにしたものである。
【０００９】
請求項３の発明は、請求項１又は２の発明において更に、前記底付きパイプの底部を下位に配置する正立のまま、該パイプを洗浄するようにしたものである。
【００１０】
請求項４の発明は、底付きパイプの内面を洗浄する底付きパイプ洗浄方法であって、洗浄ノズルをパイプ内に挿入し、パイプ内の異物を洗浄ノズルの外周面のエア噴出口から吹出すエアブローにより吹飛ばしながら、該洗浄ノズルの先端面のエア吸入口から捕集するようにしたものである。
【００１１】
請求項５の発明は、請求項４の発明において更に、前記洗浄ノズルとパイプの内周との隙間を小さくして該パイプの内面を洗浄するようにしたものである。
【発明の効果】
【００１２】
（請求項１、４）
(a)パイプの内径より若干小径の洗浄ノズルの外周面のエア噴出口から径方向にエアブローし、該洗浄ノズルの先端面のエア吸入口から吸引する構造であり、エアブローをパイプの内周面に直接近距離から勢い良く当て、またバキュームによりパイプ内のエア噴出口からエア吸入口へのエア流速を増し、鉄系等の異物をエアブローにより剥離して飛ばしながら捕集し、効率良く洗浄できる。
【００１３】
(b)洗浄液を用いないため、洗浄液タンク等を必要とせず、洗浄装置を簡易小型化できる。洗浄液を用いない乾燥洗浄であり、洗浄液を除去するための長時間の乾燥工程を必要としないし、騒音も小さい。
【００１４】
(c)洗浄液を用いないため、洗浄液の周辺への飛散がないし、エアブロー時にも洗浄ノズルの先端側へ向けてバキュームにより吸引しているから、エアブローにより異物が周辺に飛散することもない。
【００１５】
（請求項２）
(d)回転ブラシによりパイプの内周面及び底面をこすって鉄系等の異物を掻き落とした後、前述(a)の洗浄ノズルの径方向へのエアブローによって未だパイプの内面に付着している異物を剥離し、これらのブラシとエアブローで落とした異物を洗浄ノズルの先端面のエア吸入口からバキュームにより吸い込み、きれいに捕集できる。
【００１６】
（請求項３）
(e)底付きパイプ内からの洗浄液の排除のための倒立化を必要としないから、パイプを正立にしたまま洗浄することができる。このため、洗浄後にパイプを反転することなくそのまま組立工程へ移行でき、工程を少なくできる。
【００１７】
（請求項５）
(f)洗浄ノズルのエア噴出口からのエア噴出効果、エア吸入口へのエア吸入効果、及び洗浄ノズルとパイプの隙間のエア流路狭小効果により、パイプ内のエア噴出口からエア吸入口へのエア流速を一層増し、前述(a)の洗浄効率を更に上げることができる。
【発明を実施するための最良の形態】
【００１８】
図１は底付きパイプ洗浄装置を示す模式図、図２はエアブロー装置を示す模式図である。
【実施例】
【００１９】
図１の底付きパイプ洗浄装置１００は、油圧緩衝器用ボトムチューブ等の底付きパイプ１の内面に付着しているバリや異物等の鉄系等の異物を、ブラシ装置１０とエアブロー装置２０により洗浄するものである。
【００２０】
洗浄装置１００は、パイプ搬送コンベア１０１に沿う前段側のブラシステーションにブラシ装置１０を、後段側のエアブローステーションにエアブロー装置２０を配置し、コンベア１０１の間欠搬送により、コンベア１０１上の保持具１０２に保持されたパイプ１をまずブラシ装置１０によって洗浄し、このパイプ１をエアブロー装置２０に送って再洗浄した後、このパイプ１をそのまま組立工程へ送る。このとき、前段側に２基のブラシ装置１０を、後段側に２基のエアブロー装置２０を配置することにより、２本のパイプ１を１組として間欠搬送し、生産性向上できる。
【００２１】
洗浄装置１００は、図１に示す如く、パイプ１の底部１Ａを下位に配置してその周囲をコンベア１０１の保持具１０２に保持された正立姿勢状態で、このパイプ１の上向き開口１Ｂの周囲をブラシガイド１１により着脱可能に保持できる。
【００２２】
ブラシ装置１０は、ブラシガイド１１にガイドされてパイプ１の開口１Ｂから内部に挿入される回転ブラシ１２を備え、パイプ１の内周面及び底面の異物を回転ブラシ１２により剥離する。
【００２３】
回転ブラシ１２は、不図示の電動モータやエアモータ等の回転アクチュエータにより回転可能にされるロッド１３と、ロッド１３の先端に交換可能に固定されるヘッド１４とを有する。ヘッド１４は、ナイロン等の樹脂ブラシ等からなり、パイプ１の内径より若干大径の外周及び先端面に多数の植毛を備える。
【００２４】
エアブロー装置２０は、図１に示す如く、パイプ１の底部１Ａを下位に配置してその周囲をコンベア１０１の保持具１０２に保持された正立姿勢状態で、このパイプ１の上向き開口１Ｂの周囲をノズルガイド２１により着脱可能に保持できる。
【００２５】
エアブロー装置２０は、ノズルガイド２１にガイドされてパイプ１の開口１Ｂから内部に挿入される洗浄ノズル２２を備え、洗浄ノズル２２はエア噴出口２３を先端寄りの外周面に備え、エア吸入口２４を先端面に備える。エアブロー装置２０は、パイプ１の内周面及び底面の異物を、洗浄ノズル２２の外周面のエア噴出口２３から吹出すエアブローにより吹飛ばしながら、洗浄ノズル２２の先端面のエア吸入口２４に加えられるバキュームによりその異物を捕集する。
【００２６】
洗浄ノズル２２は、二重管２５（内管２５Ａと外管２５Ｂ）と、二重管２５の先端に形成されるヘッド２６とを有する。ヘッド２６は、パイプ１の内径より若干小径の外周の周方向に沿う複数位置に、内管２５Ａと外管２５Ｂの環状間隙からなる圧空通路２３Ａに連通する斜め下向きエア噴出口２３を開口し、各エア噴出口２３からパイプ１の内周に圧縮エアを吹付ける。また、ヘッド２６は、先端面に、内管２５Ａの中空部からなるバキューム通路２４Ａに連通する下向きエア吸入口２４を開口し、エア噴出口２３からパイプ１の内周に噴出したエアを開口１Ｂの側に漏らすことなく、エア吸入口２４から吸入する。このとき、洗浄ノズル２２のヘッド２６の外周とパイプ１の内周との環状隙間を、二重管２５（外管２５Ｂ）の外周とパイプ１の内周との環状隙間より小さくするものとする。
【００２７】
尚、圧空通路２３Ａには、工場エア源がミストセパレータ、エアドライヤ、レギュレータを介して接続され、エア圧力センサ２３Ｂが設けられる。バキューム通路２４Ａには、バキューム装置が接続され、バキューム圧力センサ２４Ｂが設けられる。
【００２８】
以下、パイプ洗浄装置１００を用いたパイプ１の洗浄手順について説明する。
(1)正立姿勢にしたパイプ１の底部１Ａの周囲をコンベア１０１の保持具１０２に保持する。
【００２９】
(2)コンベア１０１の間欠搬送により、上述(1)のパイプ１をブラシステーションに位置付け、このパイプ１の上向き開口１Ｂの周囲をブラシガイド１１により保持する。ブラシ装置１０の回転ブラシ１２を回転状態にしてパイプ１内に挿入し、この回転ブラシ１２のヘッド１４をパイプ１の開口１Ｂから底部１Ａに向かって下動する過程、及び続く底部１Ａから開口１Ｂに向かって上動する過程で、この回転ブラシ１２のヘッド１４によりパイプ１の内周面及び底面の異物を剥離する。
【００３０】
(3)コンベア１０１の間欠搬送により、上述(2)のパイプ１をエアブローステーションに移送し、このパイプ１の上向き開口１Ｂの周囲をノズルガイド２１により保持する。エアブロー装置２０の洗浄ノズル２２をパイプ１内に挿入し、この洗浄ノズル２２のヘッド２６をパイプ１の開口１Ｂから底部１Ａに向かって下動する過程、及び続く底部１Ａから開口１Ｂに向かって上動する過程で、この洗浄ノズル２２のヘッド２６の外周面のエア噴出口２３から吹出すエアブローによりパイプ１の内周面の異物を吹飛ばしながら、このエア及び異物をヘッド２６の先端面のエア吸入口２４に吸引してバキューム装置へ捕集する。
【００３１】
(4)コンベア１０１の間欠搬送により、上述(3)のパイプ１を組立工程へ移送する。
【００３２】
本実施例によれば以下の作用効果を奏する。
(a)パイプ１の内径より若干小径の洗浄ノズル２２の外周面のエア噴出口２３から径方向にエアブローし、該洗浄ノズル２２の先端面のエア吸入口２４から吸引する構造であり、エアブローをパイプ１の内周面に直接近距離から勢い良く当て、またバキュームによりパイプ１内のエア噴出口２３からエア吸入口２４へのエア流速を増し、鉄系等の異物をエアブローにより剥離して飛ばしながら捕集し、効率良く洗浄できる。
【００３３】
(b)洗浄液を用いないため、洗浄液タンク等を必要とせず、洗浄装置１００を簡易小型化できる。洗浄液を用いない乾燥洗浄であり、洗浄液を除去するための長時間の乾燥工程を必要としないし、騒音も小さい。
【００３４】
(c)洗浄液を用いないため、洗浄液の周辺への飛散がないし、エアブロー時にも洗浄ノズル２２の先端側へ向けてバキュームにより吸引しているから、エアブローにより異物が周辺に飛散することもない。
【００３５】
(d)回転ブラシ１２によりパイプ１の内周面及び底面をこすって鉄系等の異物を掻き落とした後、前述(a)の洗浄ノズル２２の径方向へのエアブローによって未だパイプ１の内面に付着している異物を剥離し、これらのブラシとエアブローで落とした異物を洗浄ノズル２２の先端面のエア吸入口２４からバキュームにより吸い込み、きれいに捕集できる。
【００３６】
(e)底付きパイプ１内からの洗浄液の排除のための倒立化を必要としないから、パイプ１を正立にしたまま洗浄することができる。このため、洗浄後にパイプ１を反転することなくそのまま組立工程へ移行でき、工程を少なくできる。
【００３７】
(f)洗浄ノズル２２のエア噴出口２３からのエア噴出効果、エア吸入口２４へのエア吸入効果、及び洗浄ノズル２２とパイプ１の隙間のエア流路狭小効果により、パイプ１内のエア噴出口２３からエア吸入口２４へのエア流速を一層増し、前述(a)の洗浄効率を更に上げることができる。
【００３８】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３９】
【図１】図１は底付きパイプ洗浄装置を示す模式図である。
【図２】図２はエアブロー装置を示す模式図である。
【符号の説明】
【００４０】
１  パイプ
１Ａ  底部
１０  ブラシ装置
１２  回転ブラシ
２０  エアブロー装置
２２  洗浄ノズル
２３  エア噴出口
２４  エア吸入口
１００  パイプ洗浄装置
【図１】
2006167637.tif 000003
【図２】
2006167637.tif 000004